【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
データ受け入れサーバ、データ処理サーバ、及び、データ受け渡しサーバを含み、
各業者で利用するデバイスに関するプロファイル情報に基づいて事前に生成されている、データの受け渡し元となるべき業者と受け渡し先となるべき業者との間での前記データに対する所定処理パラメータを保持するデータベースを有し、
前記データ受け入れサーバにより、受け渡し元から受け入れた印刷業務に係るデータについて、前記データ処理サーバが、当該データの受け渡し先となる業者と最終的な出力を行う業者の間での前記所定処理パラメータを前記データベースから取得し、当該取得した所定処理パラメータに基づく処理を行い、
前記データ受け渡しサーバが、当該処理されたデータを、データの受け渡し先となる業者側に配信することを特徴とする印刷業務支援システム。
【請求項２】
請求項１に記載の印刷業務支援システムであって、
前記データ受け入れサーバと、データ処理サーバと、データ受け渡しサーバとは、各々少なくとも一つを含む、データ受け入れサーバ群、データ処理サーバ群、及びデータ受け渡しサーバ群を含み、
前記データ受け入れサーバ群に含まれるデータ受け入れサーバにより、受け渡し元から受け入れた印刷業務に係るデータについて、前記データ処理サーバ群に含まれるデータ処理サーバが、当該データの受け渡し先となる業者と最終的な出力を行う業者の間での前記所定処理パラメータを前記データベースから取得し、当該取得した所定処理パラメータに基づく処理を行い、
前記データ受け渡しサーバ群に含まれるデータ受け渡しサーバが、当該処理されたデータを、データの受け渡し先となる業者側に配信し、
前記データ受け入れサーバ群、データ処理サーバ群、及び、データ受け渡しサーバ群の各サーバ群に属するデータ受け入れサーバ、データ処理サーバ、及びデータ受け渡しの数が、各サーバ群における前記各サーバの負荷に応じて定められていることを特徴とする印刷業務支援システム。
【請求項３】
請求項１に記載の印刷業務支援システムにおいて、
さらに、少なくとも一つのサーバ装置を含んで構成されるデータチェックサーバ群を含み、
前記データ受け入れサーバによって受け入れられたデータが、そのデータの受け渡し先となっている業者に関して予め定められたチェック条件を満足すると、前記データチェックサーバ群に属するサーバ装置によって判断された場合に、前記データ処理サーバ群のいずれかのサーバ装置が、当該データの受け渡し元となった業者と、当該データの受け渡し先となる業者との間での前記所定処理パラメータを前記データベースから取得し、当該取得した所定処理パラメータに基づく処理を行うことを特徴とする印刷業務支援システム。
【請求項４】
データ受け入れサーバ、データ処理サーバ、及び、データ受け渡しサーバ、並びに、各業者で利用するデバイスに関するプロファイル情報に基づいて事前に生成されている、当該データの受け渡し先となる業者と最終的な出力を行う業者の間での前記データに対する所定処理パラメータを保持するデータベースを用い、
前記データ受け入れサーバにより、受け渡し元から受け入れた印刷業務に係るデータを、前記データ処理サーバが取得する工程と、
当該データを取得したデータ処理サーバが、当該データの受け渡し元となった業者と、当該データの受け渡し先となる業者との間での前記所定処理パラメータを前記データベースから取得し、当該取得した所定処理パラメータに基づく処理を行う工程と、
前記データ受け渡しサーバが、当該処理されたデータを、データの受け渡し先となる業者側に配信する工程と、
を含むことを特徴とする印刷業務支援方法。
【手続補正２】
【補正対象書類名】明細書
【補正対象項目名】０００９
【補正方法】変更
【補正の内容】
【０００９】
上記従来例の問題点を解決するための本発明は、印刷業務支援システムであって、データ受け入れサーバ、データ処理サーバ、及び、データ受け渡しサーバを含み、各業者で利用するデバイスに関するプロファイル情報に基づいて事前に生成されている、データの受け渡し元となるべき業者と受け渡し先となるべき業者との間での前記データに対する所定処理パラメータを保持するデータベースを有し、前記データ受け入れサーバにより、受け渡し元から受け入れた印刷業務に係るデータについて、前記データ処理サーバが、当該データの受け渡し先となる業者と最終的な出力を行う業者の間での前記所定処理パラメータを前記データベースから取得し、当該取得した所定処理パラメータに基づく処理を行い、前記データ受け渡しサーバが、当該処理されたデータを、データの受け渡し先となる業者側に配信することを特徴としている。またこのシステムでは、前記データ受け入れサーバと、データ処理サーバと、データ受け渡しサーバとは、各々少なくとも一つを含む、データ受け入れサーバ群、データ処理サーバ群、及びデータ受け渡しサーバ群を含み、前記データ受け入れサーバ群に含まれるデータ受け入れサーバにより、受け渡し元から受け入れた印刷業務に係るデータについて、前記データ処理サーバ群に含まれるデータ処理サーバが、当該データの受け渡し先となる業者と最終的な出力を行う業者の間での前記所定処理パラメータを前記データベースから取得し、当該取得した所定処理パラメータに基づく処理を行い、前記データ受け渡しサーバ群に含まれるデータ受け渡しサーバが、当該処理されたデータを、データの受け渡し先となる業者側に配信し、前記データ受け入れサーバ群、データ処理サーバ群、及び、データ受け渡しサーバ群の各サーバ群に属するデータ受け入れサーバ、データ処理サーバ、及びデータ受け渡しの数が、各サーバ群における前記各サーバの負荷に応じて定められていることとしてもよい。
【手続補正３】
【補正対象書類名】明細書
【補正対象項目名】００１０
【補正方法】変更
【補正の内容】
【００１０】
さらにここで、少なくとも一つのサーバ装置を含んで構成されるデータチェックサーバ群を含み、前記データ受け入れサーバによって受け入れられたデータが、そのデータの受け渡し先となっている業者に関して予め定められたチェック条件を満足すると、前記データチェックサーバ群に属するサーバ装置によって判断された場合に、前記データ処理サーバ群のいずれかのサーバ装置が、当該データの受け渡し元となった業者と、当該データの受け渡し先となる業者との間での前記所定処理パラメータを前記データベースから取得し、当該取得した所定処理パラメータに基づく処理を行うこととしてもよい。
【手続補正４】
【補正対象書類名】明細書
【補正対象項目名】００１１
【補正方法】変更
【補正の内容】
【００１１】
また、上記従来例の問題点を解決するための本発明は、印刷業務支援方法であって、データ受け入れサーバ、データ処理サーバ、及び、データ受け渡しサーバ、並びに、各業者で利用するデバイスに関するプロファイル情報に基づいて事前に生成されている、当該データの受け渡し先となる業者と最終的な出力を行う業者の間での前記データに対する所定処理パラメータを保持するデータベースを用い、前記データ受け入れサーバにより、受け渡し元から受け入れた印刷業務に係るデータを、前記データ処理サーバが取得する工程と、当該データを取得したデータ処理サーバが、当該データの受け渡し元となった業者と、当該データの受け渡し先となる業者との間での前記所定処理パラメータを前記データベースから取得し、当該取得した所定処理パラメータに基づく処理を行う工程と、前記データ受け渡しサーバが、当該処理されたデータを、データの受け渡し先となる業者側に配信する工程と、を含むものである。